(57)【要約】【課題】バックライト装置をどのような向きに立てて使用しても放電管内の水銀の放電管端部への偏りが抑制され、使用態様の自由度の高いバックライト装置およびこのようなバックライト装置を備える表示装置を提供するる。【解決方法】  内部に水銀が封入される放電管を備えるバックライト装置であって、屈曲形成される前記放電管の両端部に設けられる電極がその放電管の屈曲により形成される領域の内側に配置されている。【選択図】  図２
2008192537.tif 000002
【特許請求の範囲】
【請求項１】
内部に水銀が封入される放電管を備えるバックライト装置であって、
屈曲形成される前記放電管の両端部に設けられる電極がその放電管の屈曲により形成される領域の内側に配置されていることを特徴とするバックライト装置。
【請求項２】
前記放電管は同一平面内で屈曲形成されていることを特徴とする請求項１に記載のバックライト装置。
【請求項３】
前記放電管の端部の先端が前記バックライト装置の内側を向くように前記放電管が配置されていることを特徴とする請求項１または２に記載のバックライト装置。
【請求項４】
前記放電管は多角形または円形状に屈曲形成されていることを特徴とする請求項１から３のいずれかに記載のバックライト装置。
【請求項５】
前記放電管は三角形状に屈曲形成されていることを特徴とする請求項１から４のいずれかに記載のバックライト装置。
【請求項６】
前記放電管は矩形状に屈曲形成されていることを特徴とする請求項１から５のいずれかに記載のバックライト装置。
【請求項７】
複数本からなる前記放電管が同一平面内に配列されていることを特徴とする請求項１から６のいずれかに記載のバックライト装置。
【請求項８】
前記複数本からなる放電管は縦横に配列されていることを特徴とする請求項４から７のいずれかに記載のバックライト装置。
【請求項９】
前記複数本からなる放電管はハニカム状に配列されていることを特徴とする請求項１から８のいずれかに記載のバックライト装置。
【請求項１０】
前記放電管が冷陰極管であることを特徴とする請求項１から９に記載のバックライト装置。
【請求項１１】
前記放電管はシャーシの前面側に配置されるとともに該シャーシの背面側には前記放電管を駆動する駆動回路が取り付けられ、前記駆動回路と前記放電管の前記電極とは前記シャーシに貫挿される接続部材を介して接続されていることを特徴とする請求項１から１０に記載のバックライト装置。
【請求項１２】
請求項１から１１のいずれかに記載のバックライト装置の前面に表示パネルが設けられていることを特徴とする表示装置。
【請求項１３】
前記表示パネルが、対をなす透明基板間に液晶が保持されてなる液晶表示パネルであることを特徴とする請求項１２に記載の表示装置。
【発明の詳細な説明】
【技術分野】
【０００１】
本発明は、バックライト装置および表示装置に関するものであり、特に透過型の表示パネルを備える表示装置に好適なバックライト装置と、このバックライト装置を備える表示装置に関するものである。
【背景技術】
【０００２】
透過型の液晶表示パネルを備える液晶表示装置などは、一般的に液晶表示パネルの背面側にバックライト装置が配設される構成を備える。このバックライト装置に組み込まれる光源としては、たとえば熱陰極管や冷陰極管などの放電管が広く一般に用いられている。
【０００３】
一般的な放電管は、ガラスなどにより形成される細管状の管体と、この管体の両端近傍に設けられる対からなるの電極とを備える。管体の内部には水銀および希ガス類が封入され、管体の内壁面には蛍光体の薄膜が形成される。そして前記対からなるの電極間の放電により飛び出した電子が水銀に衝突して紫外線が発生し、発生した紫外線が蛍光体を励起して可視光を得るように構成される。
【０００４】
放電管の使用中に放電管の温度分布が不均一となると、管体内部に封入された水銀が温度の低い部分に移動することが知られている。このため管体内の温度分布が不均一な状態で使用を継続すると、水銀は温度の低い部分に集中して水銀の分布に偏りが生じ得る。また、放電管の管体の両端に位置的な高低差があると、水銀は重力によって下端側に移動し、やはり水銀の分布に偏りが生じ得る。
【０００５】
管体の内部で水銀の分布に偏りが生じると、放電管が点灯しなくなることがあるほか、点灯時にちらつきや輝度勾配が生じることがある。また水銀の分布に偏りが生じた状態で使用を継続すると、放電管の寿命が短くなるおそれもある。そこで一般的には、管体の温度分布が不均一にならないような状態で使用される。
【０００６】
図８は、光源として蛍光管が組み込まれた従来のバックライト装置と、このバックライト装置が組み込まれた表示装置の構成の一例を示す分解斜視図である。この表示装置９は、画像を表示する略長方形の平板状の表示パネル９１と、光源である複数の放電管９２と、これらの部材を保持するシャーシ９３およびその他の所定の部材とを備える。そしてこの表示装置９は、シャーシ９３の前面側に複数の放電管９２が互いに略平行に配置され、さらにその前面側に表示パネル９１が配置されるという構成を備える。
【０００７】
このような表示装置９は、通常は表示パネル９１が横長の向きに配置される状態（すなわち、図中の矢印ａが示す向きを上側または下側に向けた状態）で使用される。放電管９２は表示パネル９１の長辺に略平行に配置されるから、常態においては放電管９２の管体の軸線は略水平方向を向き、管体の両端で高低差がない状態になる。
【０００８】
表示装置９の使用時に放電管９２やその他の部材の発熱によって放電管９２が収納されるスペース内部の空気が加熱されると、昇温した空気は上方へ移動し温度の低い空気は下方へ溜まる。このためこのスペースの内部は、上下方向の温度分布が不均一になりやすい。一方、水平方向の温度分布は不均一になりにくい。ここで、各放電管９２はその管体が略水平方向を向いているから、全長に亘って略均一の温度に維持される。また各放電管９２の管体は略水平方向を向いているから、重力による水銀の移動も生じない。したがってこのような構成の表示装置９であれば、表示装置９の使用時に前記のような問題の発生を防止できる。
【０００９】
【特許文献１】特開２００５−３３２８１３号公報
【特許文献２】特開２００５−２９４１８９号公報
【特許文献３】特開平７−４５２４０号公報
【発明の開示】
【発明が解決しようとする課題】
【００１０】
ところでこのような表示装置９を、表示パネル９１を縦長に配置して使用したいという要求がある。たとえば広告用の表示装置についてこのような要求が大きい。しかしながら表示パネル９１を縦長に配置した状態でこの表示装置９を使用すると、次のような問題が生じる。
【００１１】
図８に示すような構成の表示装置９は、表示パネル９１を縦長に配置すると放電管９２が略垂直方向に立った状態となる。このような状態での使用を継続すると、放電管９２などの発熱により加熱されて昇温した空気は放電管９２の上端側に集まり、温度の低い空気は下端側に溜まる。そして放電管９２の上端側と下端側との間で温度差が生じて水銀は温度の低い下端側に移動する。また、放電管９２が略垂直に立った状態に維持されると放電管の管体に高低差が生じ、水銀は重力によって放電管９２内の下端側に移動する。この結果、前記の通り放電管の不点灯、点灯時のちらつきや輝度勾配の発生、短寿命化といった問題が生じ得る。
【００１２】
さらに、図９に示すように、放電管９２内の両端部近傍に設けられた対からなる電極９４は、管体端部９５から若干中心側に寄った位置に配置されている。この電極９４より管体９６の端部側、即ち管体９６内の対からなる電極９４、９４に挟まれた領域の外側は、放電に寄与しない領域であるため、ここに水銀が溜まると、管体９６の中心側すなわち両電極９４、９４に挟まれた領域に再び移動させることは非常に困難である。そのため、電極９４より管体端部９５側には水銀が移動しないようにすることが好ましい。しかし、図９に示すように、表示パネル９１を縦長に配置すると、放電管９２の下端側では管体の端部９５が電極９４よりも下側に配置されるため、温度差や重力によって、放電管９２の下端側に移動してきた水銀が、電極９４よりも下側に移動する場合がある。この結果、前記の通り放電管の不点灯、点灯時のちらつきや輝度勾配の発生、短寿命化といった問題が生じ得る。
【００１３】
そこで本発明の解決しようとする課題は、バックライト装置をどのような向きに立てて使用しても放電管内の水銀の放電管端部への偏りが抑制され、使用態様の自由度の高いバックライト装置およびこのようなバックライト装置を備える表示装置を提供することにある。
【課題を解決するための手段】
【００１４】
前記課題を解決するため、本発明は、内部に水銀が封入される放電管を備えるバックライト装置であって、屈曲形成される前記放電管の両端部に設けられる電極がその放電管の屈曲により形成される領域の内側に配置されていることを要旨とするものである。
【００１５】
ここで、前記放電管は同一平面内で屈曲形成されていると好ましい。また、前記前記放電管は多角形または円形状に屈曲形成される構成であっても良い。
【００１６】
また、複数本からなる前記放電管が同一平面内に配列されるようにすると好ましい。この際、前記複数本からなる放電管が縦列またはハニカム状に配列
される構成であると良い。
【００１７】
そして、このようなバックライト装置を、表示装置に適用することができる。
【発明の効果】
【００１８】
本発明によれば、バックライト装置が屈曲形成される放電管を備え、放電管の両端部に設けられる電極がその放電管の屈曲により形成される領域の内側に配置されるため、放電管の電極がバックライト装置内の放電管が収納されるスペースの周縁部に配置されることがない。そのため、このバックライト装置をどのような向きに立てて使用しても、放電管の両端部がバックライト装置内の下端部に配置されない。その結果、放電管内部において水銀の端部近傍への偏りが防止され、水銀の偏りに起因する不具合、たとえば放電管の不点灯、点灯時のちらつきや輝度の不均一、放電管の短寿命化などを防止することができる。このためバックライト装置または表示装置の使用態様の自由度の向上を図ることができる。
【発明を実施するための最良の形態】
【００１９】
以下、本発明の第１の実施形態に係るバックライト装置について、図面を参照して詳細に説明する。まず、本発明の実施形態であるバックライト装置１の全体の概略を説明する。図１は、本発明の実施形態に係るバックライト装置１の前面に表示パネル２が設けられてなる表示装置３を示す分解斜視図である。図２（ａ）は、複数本の放電管１０が縦横に列設された状態を示す上面図であり、図２（ｂ）放電管１０の端部を拡大して示す部分断面図である。図３は放電管１０の外観を示す斜視図である。なお、以下の説明では特に記した場合をのぞき、バックライト装置１の光の出射面側すなわち図１の上方向を前面側と称し、その反対側すなわち図１の下方向を背面側と称する。
【００２０】
本実施形態に係るバックライト装置１は、光源である放電管１０から発せられる光を光学シート類１２によって面光源にして表示パネル２の背面から光を投射するものである。このバックライト装置１は、図１および図２に示すように、シャーシ１４の前面側に光源として複数本の屈曲形成された放電管１０が縦横に列設され、その前面側に光学シート類１２が配設される構成を備えている。
【００２１】
このシャーシ１４の前面側に列設される放電管１０は、たとえばガラスなどの透明な材料により形成される管体１６と、この管体１６の両端近傍に設けられる電極１８、１８とを備える。この管体１６は、図３に示すように、同一平面内で略矩形状に屈曲形成されており、その一辺において管体端部３４が、この管体１６の屈曲により形成される略矩形状の領域の内側に向けて屈曲されている。
【００２２】
管体１６の内部には水銀および希ガス類が封入され、内周面には蛍光体の薄膜（図示せず）が形成される。さらに管体１６内部の両端部近傍には、図２（ｂ）に示すように、対からなる電極１８、１８が配設されている。この両電極１８、１８に駆動電圧が印加されると、両電極１８、１８間に高電界が発生して放電を起こし、その放電で生じた紫外線によって蛍光体が励起され光が発せられる。この電極１８、１８の端部（管体の端部側の端辺）からは管体１６の外部へ向けて端子１８ａが延設されている。この端子１８ａの外周面で、管体１６の端部は気密封止されている。そしてこの端子１８ａには、図３に示すように、放電管１０の管体１６外部において、電極１８に電圧を印可するための接続部材２０が取り付けられている。接続部材２０は、一方の端部にコネクタ２０ａが接続されたハーネス２０ｂからなり、他方の端部が放電管１０の端子１８ａに半田などにより接続される。このコネクタ２０ａを後述する光源駆動回路基板３２に接続することで、放電管１０が光源駆動回路３２に接続される。この放電管１０の端部にはゴムや樹脂材料などからなるホルダ２２が装着されてシャーシ１４前面側に配置される。この放電管１０には冷陰極管または熱陰極管などの放電管が適用される。本実施形態では放電管１０として冷陰極管を適用した例を示す。
【００２３】
これらの放電管１０が配設されるシャーシ１４（バックライトアングルまたはバックライトシャーシとも称される）は、略四辺形に形成される底面１４ａを有する。この底面１４ａの各辺の周縁部には、前面側に向かって起立する側壁１４ｂが屈曲形成されている。この側壁１４ｂの上端すなわち前面側には、底面に略平行な載置面１４ｃが設けられる。この載置面１４ｃは光学シート類１２を載置できる面である。このシャーシ１４は、たとえば金属板などからプレス加工などにより形成される。
【００２４】
なお、このシャーシ１４の底面１４ａと放電管１０との間には反射シート２４が介設される。反射シート２４は、放電管１０が発した光を乱反射させるシート状の部材である。たとえば、シート状の発泡ＰＥＴ（ポリエチレンテレフタレート樹脂）材料などから形成される。
【００２５】
このシャーシ１４と反射シート２４には、放電管１０の端部に対応する位置に、放電管１０に接続された接続部材２０が貫挿される開口２６が形成されている。放電管１０の端部に装着されたホルダ２２の下面には、この開口２６に挿入されて引っ掛かるように形成された係止部２２ａが突設されている。この開口２６に、放電管１０端部に接続された接続部材２０が挿通されホルダ２２が係止されることによって、放電管１０がシャーシ底面１４ａの前面に配設される。なお、ここでは各放電管１０がそれぞれ異なる向きになるように配列された例を示すが、放電管１０は同じ向きに並んで配置されるようにしても良い。
【００２６】
この反射シート２４と放電管１０との間には、放電管１０の管体１６を支持する支持部材２８が介設される。この支持部材２８は、管体１６の外周面に当接して把持するように断面略円弧状に形成されたクリップ部２８ａと、反射シート２４上に載置されクリップ部２８ａを下方から支持する台座部２８ｂとを備えている。このクリップ部２８ａの上方から管体１６を圧入してクリップ部２８ａに把持させることによって、放電管１０の管体１６が支持部材２８に支持されて、放電管１０が傾いたり、位置がずれたりするのを防ぐことができる。
【００２７】
このようにしてシャーシ底面１４ａの前面側に配置された放電管１０のさらに前面側に、放電管１０が発する光の特性を調整するなどの機能を有する複数の光学シート類１２が配置される。光学シート類１２とは、放電管１０が発する光の特性を調整する板状もしくはシート状の部材をいう。たとえば、拡散シート、レンズシート、偏光反射シート、拡散板などが含まれ、一般的にこれらが重ね合わされて用いられる。
【００２８】
拡散板および拡散シートは、たとえば透明な樹脂材料などからなる基材に、光を反射する微粒子が混合される構成などを有する。そして透過する光を拡散させることによって、輝度分布の均一化を図る機能を有する。レンズシートは、たとえばポリエチレンテレフタレートなどからなる基材の層と、アクリルなどからなる層であって所定の断面形状を有し集光機能を有する層との積層構造を有する。そして透過する光を集光して輝度を向上する機能を有する。偏光反射シートは透明な樹脂材料などからなる層に偏光反射層が積層され、所定の偏光成分の光は透過しその他の偏光成分の光は反射する機能を有する。
【００２９】
光学シート類１２のさらに前面側には、光学シート類１２をシャーシ１４に保持するなどの機能を有する枠状の部材であるフレーム３０が装着される。このフレーム３０は、開口した四辺形に形成される枠部３０ａの外周縁からシャーシ１４側に向かって側壁部３０ｂが立設されて構成されている。このフレーム３０はたとえば金属板材などのプレス加工により、または、合成樹脂などから一体的に形成される。
【００３０】
また、シャーシ１４の背面側には、光源である放電管１０を駆動する光源駆動回路基板３２が配設され、この光源駆動回路基板３２を覆う光源駆動回路基板カバー３２ａが装着される。なお、光源駆動回路基板３２は、放電管１０を駆動する電子・電気回路が構築された回路基板である。光源駆動回路基板カバー３２ａは、光源駆動回路基板３２を覆うカバーであり、金属板などの導体により形成される。
【００３１】
このような部材を備えるバックライト装置１の組み付けは、次の通りである。シャーシ１４の底面１４ａの前面側に反射シート２４を布設する。その前面側に各放電管１０を載置して、シャーシ１４および反射シート２４に形成された開口２６に放電管１０に取り付けられた接続部材２０を挿通して、放電管１０端部のホルダ２２を開口２６に係止する。そして放電管１０の管体１６を支持部材２８に装着して支持させ放電管１０をシャーシ１４の前面側に配設する。さらに、シャーシ１４の前面側に設けられた載置面１４ｃに光学シート類１２を載置し、さらにその上にフレーム３０を組み付けてフレーム３０とシャーシ１４との間に光学シート類１２を挟持させる。このようにして、複数の放電管１０がシャーシ１４と光学シート類１２との間に形成されるスペースに縦横に並んだ状態で列設される。
【００３２】
このバックライト装置１を略垂直に立てて使用すると、放電管１０や光源駆動回路基板３２などからの発熱により、周辺の部材や雰囲気が暖められて、放電管１０が収納されるスペース（すなわちシャーシ１４と光学シート１２との間のスペース）内に温度分布が生じる。例えば、このスペース内において温度の高い空気は上方へ溜まり、温度の低い空気が下方に溜まり、このスペースの上端部の温度は高く、下端部の温度は低くなる場合がある。
【００３３】
このような場合にも、このバックライト装置１は屈曲形成された放電管１０を備え、この放電管１０の管体１６の屈曲により形成される領域の内側に放電管１０の電極１８が設けられた管体端部３４が配置されているので、バックライト装置１をどのような向きに配置しても、管体端部３４の外周には管体１６が配置される。
【００３４】
したがって、管体端部３４がこの放電管１０を収納するスペース内において最も温度が低くなりやすい下端部などに配置されることがない。これにより、放電管１０の管体端部３４自体の温度または周辺温度が、その放電管１０の他の部分の温度または周辺温度に比べて低くなってしまうのを防ぐことができる。そのため、バックライト装置１をどのような向きに立てて使用しても、温度の低い部位に集まりやすい水銀が管体端部３４に偏るのを抑制することができ、放電管１０の不点灯、点灯時のちらつきや輝度勾配の発生、短寿命化といった問題が生じにくく、バックライト装置１の使用態様の自由度が向上する。
【００３５】
また、このバックライト装置１の放電管１０の管体１６が屈曲している部位では、管体１６が直線的に形成されている部位に比べて、水銀が移動しずらくなる。したがって、仮に管体端部３４に局所的に温度の低い部分ができたとしても、管体１６内において、電極１８に最も近い屈曲部より遠い部位に分散している水銀は、屈曲部を越えて電極１８側には移動しにくい。したがって、従来の直管状の放電管が略垂直に配置された状態でバックライト装置を使用する場合のように、管体内部全体の水銀が下端側に偏ってしまうようなことがない。
【００３６】
さらに、図１〜３に示すように、放電管１０の管体１６が略矩形状に屈曲形成されていると、管体１６内の水銀は各辺内では自由に移動できるが隣の辺には移動しにくい状態になる。したがって、この管体１６のある辺において局所的に温度が下がると、その辺内の水銀は温度の低い部分に偏り得るが、隣の辺にある水銀までその局所的に温度の低い部分に集まってしまうのを抑制することができる。したがって、管体１６に局所的に温度の低い部分が生じた際に管体１６内の水銀全部がその温度分布に依存して移動してしまうのを防ぐことができ、管体１６内の水銀の偏りを抑えることができる。
【００３７】
次に、上記実施形態に係るバックライト装置の変形例について説明する。以下の説明においては、上記実施形態のバックライト装置と同一の部分については同一の符号を付して説明を省略し、異なる部分についてのみ説明する。
【００３８】
図４は、上記実施形態の第１の変形例に係るバックライト装置１ａについて、シャーシ底面１４ａの前面側に反射シ−ト２４を介して放電管１０が縦横に配置された例を示す上面図である。この第１の変形例に係るバックライト装置１ａの放電管１０aは、管体１６ａが軸方向の中央部の両端から渦巻き状に屈曲形成されることにより、この屈曲により形成される略矩形状の領域の内側に、管体端部３４ａに設けられた電極１８が配置されている。このような放電管１０ａを備えるバックライト装置１ａによっても上記実施例と同様の効果を奏することができる。また、この放電管１０ａは、上記第１の実施形態で示した放電管１０よりも多くの屈曲部を有している。そのため、１つの放電管１０ａの屈曲により形成される領域の中で、管体１６ａが占める割合が上記第１の実施形態で示した放電管１０の場合よりも多くなる。したがって、バックライト装置１ａの輝度ムラを抑えることができる。
【００３９】
図５は、上記実施形態の第２の変形例に係るバックライト装置１ｂについて、シャーシ底面１４ａの前面側に反射シート２４を介して放電管１０ｂがハニカム状に配置された例を示す上面図である。このバックライト装置１ｂの放電管１０ｂは、管体１６ｂが略円形状に屈曲形成され、管体端部３４ｂはこの屈曲により形成される略円形状の領域の内側に向けて屈曲されている。このような放電管１０ｂを備えるバックライト装置１ｂによっても上記バックライト装置１と同様の効果を奏することができる。
【００４０】
さらに、このバックライト装置１ｂにおいては、図５に示すように、管体１６ｂの屈曲により形成される領域の内側に向けて屈曲される管体端部３４ｂは、シャーシ底面１４ａの長辺と略平行に配置されている。管体端部３４ｂがこのように配置されると、バックライト装置１ｂを略垂直に立てて使用する場合、バックライト装置１ｂのいずれかの長辺（シャーシ底面の長辺）を下側にして配置すると、放電管１０ｂの管体端部３４ｂは略水平に配置されることになり、管体端部３４ｂの基端側と先端側との間には温度差も高低差も生じにくい。そのため、管体端部３４ｂに水銀が偏ってしまうのを防ぐことができる。
【００４１】
また、バックライト装置１ｂのいずれかの短辺（シャーシ底面のいずれかの短辺）を下側にして配置すると、管体端部３４ｂは略垂直に配置される。さらに、このバックライト装置１ｂでは、放電管１０ｂの管体１６ｂの先端がバックライト装置１ｂの内側を向くように配置されている。したがって、バックライト装置１ｂのいずれかの短辺（シャーシ底面の短辺）を下側にして配置する場合に、複数の放電管１０ｂのうち下側に配置される放電管１０ｂは、必ず管体端部３４ｂが先端を上向きにして配置される。そのため、管体端部３４ｂ先端側（上側）の水銀は重力によって管体１６ｂの中央側（下側）に移動しやすくなる。すなわち、電極１８よりも管体１６ｂの端部側に水銀が偏り難くなる。
【００４２】
図６は、上記実施形態の第３の変形例に係るバックライト装置１ｃのシャーシ底面１４ａに放電管１０が配置された例を示す上面図である。このバックライト装置１ｃの放電管１０は、管体１６が略矩形状に屈曲形成され、管体端部３４はこの屈曲により形成される略矩形状の領域の内側に向けて屈曲されている。この放電管１０がシャーシ底面１４ａの前面側に反射シート２４を介してハニカム状に配列されている。
【００４３】
図７は、上記実施形態の第４の変形例に係るバックライト装置１ｄのシャーシ底面１４ａに放電管１０ｄが配置された例を示す上面図である。このバックライト装置１ｄのシャーシ底面１４ａの前面側には、反射シート２４を介して略三角形状に屈曲形成された管体１６ｄを備える放電管１０ｄが配設されている。これらの放電管１０ｄは斜辺同士が互いに対向するように配置されることにより２本の放電管１０ｄ、１０ｄで略矩形状の領域を形成している。これら放電管１０ｄの管体端部３４ｄは、この対をなす放電管の屈曲により形成される領域の内側に配置されている。この対をなす放電管１０ｄがシャーシ底面１４ａの前面側に縦横に配列されている。
【００４４】
次に、本発明の第２の実施形態にかかる表示装置３について説明する。図１に示すように本発明の実施形態にかかる表示装置３は、前記バックライト装置１（または１ａ、１ｂ、１ｃ、１ｄ）と、表示パネル２と、ベゼルと４０、コントロール回路基板４２と、コントロール回路基板カバー４２ａとを備える。
【００４５】
表示パネル２は、従来公知の各種透過型の表示パネル２が適用できる。たとえば、アクティブマトリックスタイプの液晶表示パネルが好適に適用できる。ベゼル４０は、表示パネル２を支持および／または保護する機能などを有する部材である。図１に示すようにこのベゼル４０は、開口した略四辺形の形状を有する。コントロール回路基板４２は、外部から入力された画像信号に基づいて、表示パネル２を駆動するコントロール信号を生成する電子回路および／または電気回路が構築される回路基板である。コントロール回路基板カバー４２ａは、このコントロール回路基板４２を覆う板状の部材である。このコントロール回路基板カバー４２ａは、たとえば金属の板材により形成される。
【００４６】
本実施形態にかかる表示装置３の組み付けは次のとおりである。バックライト装置１（または１ａ、１ｂ、１ｃ、１ｄ）のフレーム３０の前面側に表示パネル２を配設する。また、バックライト装置１（または１ａ、１ｂ、１ｃ、１ｄ）のシャーシ１４の背面側にコントロール回路基板４２を配設する。そして表示パネル２に装着される回路基板と、コントロール回路基板４２とを、各種信号を送受信可能に接続する。さらに表示パネル２の前面側にベゼル４０を装着するとともに、コントロール回路基板４２を覆うようにコントロール回路基板カバー４２ａを配設する。
【００４７】
このような表示装置３によれば、表示装置３をどのような向きに配置して使用しても、バックライト装置１（または１ａ、１ｂ、１ｃ、１ｄ）に光源として備えられる放電管１０（または１０ａ、１０ｂ、１０ｄ）の水銀の偏りが防止される。そのため、放電管の不点灯、点灯時のちらつきや輝度の不均一などの不具合が生じにくく、表示画面上の輝度ムラなどが抑えられるため、表示装置の使用態様の自由度の向上を図ることができる。
【００４８】
以上、本発明の実施形態について説明したが、本発明はこうした実施形態に何ら限定されるものではなく、本発明の趣旨を逸脱しない範囲において、種々なる態様で実施できることはもちろんである。
【図面の簡単な説明】
【００４９】
【図１】本発明の第１の実施形態に係るバックライト装置を備える表示装置を示す分解斜視図である。
【図２】（ａ）は、図１に示したバックライト装置のシャーシ底面に放電管が配置された状態を示す上面図であり、（ｂ）は、放電管の端部を示す断面図である。
【図３】図１に示したバックライト装置が備える放電管の外観を示す斜視図である。
【図４】図１に示したバックライト装置の第１の変形例を示す上面図である。
【図５】図１に示したバックライト装置の第２の変形例を示す上面図である。
【図６】図１に示したバックライト装置の第３の変形例を示す上面図である。
【図７】図１に示したバックライト装置の第４の変形例を示す上面図である。
【図８】従来のバックライト装置を備える表示装置を示す分解斜視図である。
【図９】図８に示したバックライト装置の放電管を拡大して示した部分断面図である。
【符号の説明】
【００５０】
１ バックライト装置
２ 表示パネル
３ 表示装置
１０ 放電管
１４ シャーシ
１６ 管体
１８ 電極
２０ 接続部材
２６ 開口
３０ フレーム
３４ 管体端部
【図１】
2008192537.tif 000003
【図２】
2008192537.tif 000004
【図３】
2008192537.tif 000005
【図４】
2008192537.tif 000006
【図５】
2008192537.tif 000007
【図６】
2008192537.tif 000008
【図７】
2008192537.tif 000009
【図８】
2008192537.tif 000010
【図９】
2008192537.tif 000011